(57)【要約】      （修正有）【課題】実際に店舗の雰囲気を感じ、買い物の楽しみを味わい、生活に活力を与えることができるバーチャル店舗システムを提供する。【解決手段】少なくとも１台の顧客端末３と、通信回線を介して前記顧客端末に接続され、実店舗１における電子商取引を管理すると共に、前記実店舗に設置された撮影手段を制御するサーバ１１とからなる実店舗連動型バーチャル店舗システムであって、前記サーバ１１は、撮影制御手段と、画像分析・合成手段と、画像配信手段と、注文受付手段とを備え、前記画像配信手段は、前記画像分析・合成手段と協同して、前記撮影手段によって撮影された実店舗の映像を前記顧客端末に配信し、前記注文受付手段は、前記顧客端末からの注文を受信して、前記撮影手段によって撮影された実店舗の映像と前記顧客端末から送信された商品を特定する情報とに基づいて顧客による注文確認のための情報を作成する共に、前記情報を前記顧客端末に送信する。【選択図】図１
2009223760.tif 000002
【特許請求の範囲】
【請求項１】
少なくとも１台の顧客端末と、通信回線を介して前記顧客端末に接続され、実店舗における電子商取引を管理すると共に、前記実店舗に設置された撮影手段を制御するサーバとからなる実店舗連動型バーチャル店舗システムであって、
前記サーバは、撮影制御手段と、画像分析・合成手段と、画像配信手段と、注文受付手段とを備え、
前記撮影制御手段は、前記画像分析・合成手段と協同して、前記実店舗に配置された撮影手段を制御し、
前記画像分析・合成手段は、前記顧客端末から店舗閲覧要求・画像操作指示を受信して、前記撮影制御手段と協同して、前記撮影手段によって撮影された実店舗の映像を前記顧客端末に配信するように前記画像配信手段を制御し、
前記画像配信手段は、前記画像分析・合成手段と協同して、前記撮影手段によって撮影された実店舗の映像を前記顧客端末に配信し、
前記注文受付手段は、前記顧客端末からの注文を受信して、前記撮影手段によって撮影された実店舗の映像と前記顧客端末から送信された商品を特定する情報とに基づいて顧客による注文確認のための情報を作成する共に、前記情報を前記顧客端末にに送信する、
ことを特徴とする実店舗連動型バーチャル店舗システム。
【請求項２】
前記サーバは、更に、売上処理手段と、ピッキング指示手段とを備え、
前記売上処理手段は、前記顧客端末からの注文確認を受信して、注文された商品についての在庫情報及び売上情報を更新し、
前記ピッキング指示手段は、前記撮影手段によって撮影された実店舗の映像と前記顧客端末から送信された商品を特定する情報とを重ねて合わせて表示する指示と共に、顧客への商品発送用の識別ラベルを発行する指示を行うことを特徴とする請求項１に記載の実店舗連動型バーチャル店舗システム。
【請求項３】
前記画像分析・合成手段は、前記撮影手段によって撮影された実店舗の映像を一定間隔で保存し、前記顧客端末から画像操作指示を受けた際に、前記撮像手段が他の顧客端末からの画面操作指示によって制御されている間は、前記一定間隔で保存した画像を前記顧客端末に配信するように前記画像配信手段を制御することを特徴とする請求項１又は２に記載の実店舗連動型バーチャル店舗システム。
【請求項４】
前記顧客端末は、前記サーバから配信された実店舗の全売り場の映像を該端末装置の表示画面にマルチ画面表示すると共に、売り場が選択された場合は、該選択された売り場のみを該端末装置の表示画面に表示することを特徴とする請求項１〜３のいずれか１項に記載の実店舗連動型バーチャル店舗システム。
【請求項５】
少なくとも１台の顧客端末と、通信回線を介して前記顧客端末に接続され、実店舗における電子商取引を管理すると共に、前記実店舗に設置された撮影手段を制御するサーバとからなる実店舗連動型バーチャル店舗システムにおける電子商取引方法であって、
前記顧客端末から前記サーバに実店舗の閲覧要求を送信する閲覧要求送信ステップと、
前記閲覧要求を受信した前記サーバから前記端末に実店舗の映像を配信する映像配信ステップと、
前記顧客端末から前記サーバに前記配信された前記実店舗の映像を操作する指示を送信する映像操作指示送信ステップと、
前記映像操作指示を受信した前記サーバから前記顧客端末に実店舗の操作後の映像を配信する操作映像配信ステップと、
前記顧客端末から前記サーバに商品購入申込みを送信する商品購入申込み送信ステップと、
前記商品購入申込みを受信した前記サーバにおいて、購入を申し込まれた商品のピックアップを指示すると共に、顧客への前記商品の配送を指示する商品ピックアップ・配送指示ステップとからなる電子商取引方法。
【請求項６】
前記操作映像配信ステップは、実店舗の映像の操作が不可の間は、事前に撮影した実店舗の映像を配信することを特徴とする請求項５に記載の電子商取引方法。
【発明の詳細な説明】
【技術分野】
【０００１】
本発明は、インターネットや携帯電話などの通信機能を利用したオーダーリングシステム及びオーダーリング方法に関し、特に、実在する店舗における商品の画像・音声情報と店舗のＰＯＳシステムの管理情報とを連動しながら、商品情報や在庫情報をリアルタイムに提供する実店舗連動型バーチャル店舗システム及びこのシステムにおける電子商取引方法に関する。
【背景技術】
【０００２】
近年、インターネットや携帯電話などを利用して買い物ができるインターネットショッピングが普及してきている。
【０００３】
インターネットショッピングが普及してきた理由は、勿論、インターネットや携帯電話などの通信技術の発展があったからであるが、なんといっても、売り手側にとっては、実店舗を持つコストが節約できることから、資金が少ない人でも開業が容易となり、また地理的に不便な地域でも世界市場を相手にできるなどのメリットがあり、買い手側にとっては、商品の流通段階が省略されることから、低価格で商品が購入できるだけでなく、商品の販売価格や商品の品質・性能などに関する情報収集と商品の選定・決済とが在宅のままで行えるというメリットがあるからである。
【０００４】
このようなインターネットショッピングをシステム化した従来技術として、ネットワークを利用することにより、顧客が、実在する店舗内の状況を把握しながら商品の購入を行うことができる電子カタログ作成システム（特許文献１）、既存の電話やファクシミリの他にインターネット及び携帯電話を利用した商品注文受け付けシステム（特許文献２）、インターネット等の双方向通信回線を利用して、顧客の要望に応じた商品情報を提供するブロードバンドを利用したショッピングシステム（特許文献３）及び店員による対応を可能としたショッピング用データ提供システム（特許文献４）などがある。
【０００５】
特許文献１のものは、顧客端末と、電子カタログを作成し、顧客端末に公開すると共に、顧客端末からの各種要求を受け取るＷＷＷサーバと、実店舗内に設置され、実店舗内に配置されたカメラにより撮影可能な全画像に関するカメラ番号やカメラアングル等の情報をＷＷＷサーバのＤＢ内に予め格納すると共に、ＷＷＷサーバから指定されたカメラ番号やカメラアングル等によりカメラを制御して取得した画像をＷＷＷサーバに送る中継サーバとをネットワークを介して接続したシステムである。このシステムでは、ＷＷＷサーバは、顧客端末からの電子カタログの表示要求がリアルタイムな画像を必要とする要求の場合には、ＤＢ内を検索してカメラ番号やカメラアングル等を決定して画像配送要求を中継サーバに送り、中継サーバは、カメラを制御して取得した画像をＷＷＷサーバに送り、ＷＷＷサーバは、送られた画像に基づきホームページを作成して顧客端末に転送して電子カタログを表示させるようになっている。これにより、顧客は、顧客端末を用いて、ホームページ上の進みたい方向や見たいものをクリックすることにより、店内を移動し、実際の店内状況を把握しながら商品の購入を行うことができる。
【０００６】
特許文献２のものは、顧客の保有するパソコンや携帯電話と、商品情報を顧客のパソコンや携帯電話に向けに公開すると共に、顧客のパソコンや携帯電話からの注文を受け付けるサーバと、実店舗に設置され、サーバから顧客データや商品購買データを受け取ると共に、顧客のパソコンや携帯電話からの受注処理を行う端末とをネットワークを介して接続したシステムである。このシステムでは、サーバは、一種のバーチャル店舗であり、パソコンや携帯電話へチラシを直接配布することも行うものの、商品の配達は、実店舗が行うようになっている。
【０００７】
特許文献３のものは、ユーザ端末と、商品情報を保持するサーバとをケーブルテレビ回線等のブロードバンドを介して接続するシステムである。このシステムでは、サーバは、商品情報が空間的情報を有する場合などは、電子的情報によりそのユーザに相応しい仮想的なモデルを構成し、ユーザ端末からの操作により、モデルへの商品の装着を行ったり、商品の映像視点を変更するようになっている。これにより、ユーザは、ユーザ端末を用いて、商品を使用した状態に近い情報を手に入れることができる。
【０００８】
特許文献４のものは、ショッピング会員ユーザの端末と、ショッピング会員ユーザの端末にショッピング用のデータを提供すると共に、ショッピングサービスを提供する実店舗の端末に会員ユーザとのデータ授受に関するサービス提供用のデータを提供するサーバと、実店舗に設置され、サーバから会員データや商品管理データ或いは商品購入データを受け取る端末とをインターネットで接続したシステムである。このシステムでは、サーバは、入店から商品選択までに必要な仮想売場案内データを、商品選択用データや実店舗にいる店員動画データと共に会員ユーザの端末に一画面表示可能に送信するようになっている。会員ユーザは、会員ユーザの端末の映像チャットに映し出されている店員を見ながら、文字や音声等で商品についての質問をすることができる。
【０００９】
【特許文献１】特開２０００−０９９６１２号公報
【特許文献２】特開２００１−２３６３９７号公報
【特許文献３】特開２００２−１３３２５２号公報
【特許文献４】特開２００５−０７１３０４号公報
【発明の開示】
【発明が解決しようとする課題】
【００１０】
特許文献１のものは、店舗のリアルタイム画像を利用するものではあるが、従来のカタログショッピングの延長にあるものであり、特許文献２のものは、サーバが構築するバーチャル店舗は実店舗とは別なものであり、特許文献３のものは、洋服などの商品を実際に着用した状態に近い情報を手に入れることはできるものの、適用が限られたものであり、特許文献４のものは、店員の映像はリアルタイム画像ではあるが、店舗内は、仮想売場案内データによって識別するものであり、いずれも、店舗で買い物をしているという実感に乏しいという課題がある。
【００１１】
本発明は、前記課題を解決するためになされたものであり、その目的は、昨今の高齢化社会において、外出が困難な高齢者にも、実際に店舗の雰囲気を感じ、買い物の楽しみを味わい、生活に活力を与えることができる実店舗連動型バーチャル店舗システム及びこのシステムにおける電子商取引方法を提供することである。
【課題を解決するための手段】
【００１２】
前記課題を解決するために、本発明の実店舗連動型バーチャル店舗システムは、少なくとも１台の顧客端末と、通信回線を介して前記顧客端末に接続され、実店舗における電子商取引を管理すると共に、前記実店舗に設置された撮影手段を制御するサーバとからなる実店舗連動型バーチャル店舗システムであって、前記サーバは、撮影制御手段と、画像分析・合成手段と、画像配信手段と、注文受付手段とを備え、前記撮影制御手段は、前記画像分析・合成手段と協同して、前記実店舗に配置された撮影手段を制御し、前記画像分析・合成手段は、前記顧客端末から店舗閲覧要求・画像操作指示を受信して、前記撮影制御手段と協同して、前記撮影手段によって撮影された実店舗の映像を前記顧客端末に配信するように前記画像配信手段を制御し、前記画像配信手段は、前記画像分析・合成手段と協同して、前記撮影手段によって撮影された実店舗の映像を前記顧客端末に配信し、前記注文受付手段は、前記顧客端末からの注文を受信して、前記撮影手段によって撮影された実店舗の映像と前記顧客端末から送信された商品を特定する情報とに基づいて顧客による注文確認のための情報を作成すると共に、前記情報を前記顧客端末にに送信することを特徴とする。
【００１３】
前記サーバは、更に、売上処理手段と、ピッキング指示手段とを備え、
前記売上処理手段は、前記顧客端末からの注文確認を受信して、注文された商品についての在庫情報及び売上情報を更新し、
前記ピッキング指示手段は、前記撮影手段によって撮影された実店舗の映像と前記顧客端末から送信された商品を特定する情報とを重ねて合わせて表示する指示と共に、顧客への商品発送用の識別ラベルを発行する指示を行うことを特徴とする。
また、前記画像分析・合成手段は、前記撮影手段によって撮影された実店舗の映像を一定間隔で保存し、前記顧客端末から画像操作指示を受けた際に、前記撮像手段が他の顧客端末からの画面操作指示によって制御されている間は、前記一定間隔で保存した画像を前記顧客端末に配信するように前記画像配信手段を制御することを特徴とする。
【００１４】
また、前記顧客端末は、前記サーバから配信された実店舗の全売り場の映像を該端末装置の表示画面にマルチ画面表示すると共に、売り場が選択された場合は、該選択された売り場のみを該端末装置の表示画面に表示することを特徴とする。
【００１５】
また、前記課題を解決するために、本発明の電子商取引方法は、少なくとも１台の顧客端末と、通信回線を介して前記顧客端末に接続され、実店舗における電子商取引を管理すると共に、前記実店舗に設置された撮像手段を制御するサーバとからなる実店舗連動型バーチャル店舗システムにおける電子商取引方法であって、前記顧客端末から前記サーバに実店舗の閲覧要求を送信する閲覧要求送信ステップと、前記閲覧要求を受信した前記サーバから前記端末に実店舗の映像を配信する映像配信ステップと、前記顧客端末から前記サーバに前記配信された前記実店舗の映像を操作する指示を送信する映像操作指示送信ステップと、前記映像操作指示を受信した前記サーバから前記顧客端末に実店舗の操作後の映像を配信する操作映像配信ステップと、前記顧客端末から前記サーバに商品購入申込みを送信する商品購入申込み送信ステップと、前記商品購入申込みを受信した前記サーバにおいて、購入を申し込まれた商品のピックアップを指示すると共に、顧客への前記商品の配送を指示する商品ピックアップ・配送指示ステップとからなることを特徴とする。
【００１６】
また、前記操作映像配信ステップは、実店舗の映像の操作が不可の間は、事前に撮影した実店舗の映像を配信することを特徴とする。
【発明の効果】
【００１７】
本発明の実店舗連動型バーチャル店舗システムによれば、外出が困難な高齢者にも、実際に店舗の雰囲気を感じ、買い物の楽しみを味わい、生活に活力を与えることができるバーチャル店舗システムを簡単に構築することができる。更に言えば、本発明になる実店舗連動型バーチャル店舗システムは、地域の地場産業である小売、運送なども取り込むシステムであり、産業振興の役割を担うだけでなく、医療、介護サービスと連携すれば、生活支援や医療費削減にも貢献することができる。
【００１８】
また、顧客が選択した商品のピッキング、梱包、配送をもサーバによって管理することができる。
また、実店舗の１台のカメラに対するアクセスが競合した場合でも、スマートな対応が可能になる。
【００１９】
また、顧客端末では、実店舗の全売り場の映像をマルチ画面表示するので、顧客は、一度に多数の売り場の状況を見て取ることができるだけでなく、売り場が選択されたときは、その売り場だけを通常表示するので、この画面の切り換えに際して、店舗内サーバに負荷が掛かることはない。
【００２０】
本発明の電子商取引方法によれば、外出が困難な高齢者にも、実際に店舗の雰囲気を感じ、買い物の楽しみを味わい、生活に活力を与えることができる電子商取引方法を簡単に構築することができる。
【００２１】
また、実店舗の１台のカメラに対するアクセスが競合した場合でも、スマートな対処が可能になる。
【発明を実施するための最良の形態】
【００２２】
以下、本発明の一実施形態について説明するが、以下に説明する実施形態はあくまでも説明のためのものであり、本発明の範囲を制限するものではない。
したがって、当業者であればこの実施形態の各要素若しくは全要素をこれと均等なものに置換した実施形態を採用することが可能であるが、これらの実施形態も本発明の範囲に含まれる。
【００２３】
以下図面を用いて本発明の一実施形態を説明する。
【００２４】
［実店舗連動型バーチャル店舗システム全体］
先ず、本発明の実店舗連動型バーチャル店舗システム全体について、図１を用いて簡単に説明する。
【００２５】
図１において、１〜３は、それぞれ、実店舗、インターネットや携帯電話或いはＣＡＴＶなどのネットワーク及び顧客端末を示す。また、１１〜１４は、それぞれ、店舗内に設置乃至配置された店舗内サーバ、ＰＯＳレジスタ、実店舗の中を撮影するカメラ（撮影手段）及び店舗内回線である。店舗内サーバ１１、ＰＯＳレジスタ１２及びカメラ１３は、店舗内回線１４によって相互接続されている。
【００２６】
店舗内サーバ１１は、本発明の重要なポイントをなすものであり、ＰＯＳレジスタ１２における販売管理や在庫管理を行うだけでなく、ネットワーク２を介して送信された顧客端末３からの要求や指示或いは選択に応じて、カメラ１３で撮影した店舗内売場のリアル映像をネットワーク２を介して顧客端末３に配信すると共に、ネットワーク２を介して送信された顧客端末３からの商品指定情報を受けてカメラ１３の方向指示やズーム機能を制御する役割を果たす。
顧客端末３は、典型的には、ネットワーク２に接続されたパソコンや携帯電話機或いはテレビである。店舗内サーバ１１及び顧客端末３の詳細は、後述することから明らかになるので、ここでは、これ以上の説明をしない。ネットワーク２、ＰＯＳレジスタ１２及びカメラ１３は、従来周知のものなので、説明を省略する。
【００２７】
［店舗内サーバ］
次に、店舗内サーバ１１について、図２〜３を用いて説明する。
【００２８】
＜店舗内サーバのハードウェア構成＞
先ず、店舗内サーバのハードウェア構成について、図２を用いて簡単に説明する。
【００２９】
図２において、１１１〜１１８は、それぞれ、ＣＰＵ（Central Processing Unit）、キーボード、ディスプレイ、バーコードリーダ、プリンタ、主記憶装置、外部記憶装置及びコンピュータの内部バスを示す。ＣＰＵ１１１、キーボード１１２、ディスプレイ１１３、バーコードリーダ１１４、プリンタ１１５、主記憶装置１１６及び外部記憶装置１１７は、コンピュータの内部バス１１８によって相互接続されている。
【００３０】
主記憶装置１１６には、ＯＳ常駐領域、バーチャル店舗構築用プログラム領域及び各種作業領域等が設けられ、外部記憶装置１１７には、各種プログラムファイル、画像情報ファイル、商品・在庫情報ファイル、売上情報ファイル及び顧客情報ファイル等が格納される。各種プログラムファイルの中には、本発明の中核をなすバーチャル店舗構築用プログラムファイルが含まれる。
【００３１】
＜店舗内サーバの機能手段＞
次に、バーチャル店舗構築用プログラムが主記憶装置１１６にローディングされ、ＣＰＵ１１１によって実行されることにより実現される各種手段について、図３を用いて詳細に説明する。
【００３２】
撮影制御手段ｍ１は、顧客の指示を受けて、後記画像分析・合成手段ｍ２を介して、店舗内の売り場を撮影するカメラ１３の方向指示とズーム機能を制御する手段である。
【００３３】
画像分析・合成手段ｍ２は、顧客端末３により送信された画像閲覧・指示要求に応じて、撮影制御手段ｍ１又は画像配信手段ｍ３を制御する手段である。
また、画像分析・合成手段ｍ２は、カメラ１３で撮影したリアル映像を配信中に、顧客がポインティングデバイス等によって顧客端末３の表示画面ＤＳ上で商品を選択し、注文した場合には、注文受付手段ｍ４からの指示によって、その時のポインティングマークと静止画像の情報を獲得し、注文受付手段ｍ４及びピッキング指示手段ｍ６に渡す。
獲得した情報をピッキング指示手段ｍ６に渡す場合には、カメラの設置した場所と撮影した売り場乃至商品棚の情報も同時に渡す。
更に、画像分析・合成手段ｍ２は、商品棚映像をカテゴリ別に一定間隔で画像情報ファイルとして店舗内サーバ１１の外部記憶装置１１７に格納する役目も果たす。
カテゴリ別に一定間隔で保存した商品棚映像は、合成されてバーチャル画像として画像配信手段ｍ３から顧客端末３に配信されるものであるが、その使い方の詳細については後で説明することから明らかになるので、ここでは、これ以上の説明をしない。
【００３４】
画像配信手段ｍ３は、画像分析・合成手段ｍ２からの指示を受けて、店舗内の売り場の映像を顧客端末３に配信する手段である。
配信する映像には、リアル映像とバーチャル画像の２種類があることは先に説明したとおりであるが、通常は、リアル映像が閲覧要求のあった顧客端末３に配信される。
【００３５】
注文受付手段ｍ４は、顧客端末３により送信された注文情報を受け付ける手段である。  注文受付手段ｍ４は、画像分析・合成手段ｍ２から渡された情報を解読した結果得られる情報と商品・在庫情報の中の商品情報とに基づいて、注文された商品の商品情報や売上情報を算出し、これらの情報を顧客による注文確認のために顧客端末３に送信する。
渡された情報の解読については後で説明することから明らかになるので、ここでは、これ以上の説明をしない。
また、注文受付手段ｍ４は、注文された商品の商品情報や売上情報を売上処理手段ｍ５にも通知する。なお、商品・在庫情報は、渡された情報を解読した結果得られる情報に基づいて店舗内サーバ１１の外部記憶装置１１７に格納された商品・在庫情報ファイルから引き出されたものである。
【００３６】
売上処理手段ｍ５は、顧客端末３により送信された注文確認情報を受けた場合には、注文確認情報には、住所氏名等の顧客情報も含まれているので、この情報と注文受付手段ｍ４から転送された売上情報の金額に関する情報とに基づいて顧客の与信調査を行い、与信調査の結果がOKであれば、電子決済を行う手段である。
また、売上処理手段ｍ５は、店舗内に配置されたＰＯＳレジスタ１２と連動して、商品の売上情報と在庫情報の更新も行うと共に、顧客情報も更新する。
なお、これらの情報の更新は、店舗内サーバ１１の外部記憶装置１１７に格納された対応するファイルを更新することによって行われる。
【００３７】
ピッキング指示手段ｍ６は、画像分析・合成手段ｍ２から渡された情報をピッキング用モニタとして設定されたディスプレイ１１３に表示し、配送担当者に注文された商品の売り場からの取り出しを指示する手段である。
このとき、ディスプレイ１１３には、画像分析・合成手段ｍ２から渡されたカメラの設置した場所と撮影した売り場乃至商品棚の情報も同時に表示されるので、配送担当者は、ディスプレイ１１３に表示されたこれらの情報により、注文された商品を確実に売り場から取り出すことができる。
また、ピッキング指示手段ｍ６は、顧客情報ファイルに含まれる顧客情報に基づいて、顧客の住所氏名を含んだ識別ラベルをプリンタ１１５で印刷するよう指示する。識別ラベルは、配送担当者によってピックアップされた商品に貼られ、その後、識別ラベルの貼られた商品は、配送担当者によって注文した顧客に配送される。
【００３８】
外部広告手段ｍ７は、画像情報、商品情報及び顧客情報に基づいて、商品を販売した顧客に対する外部広告情報を作成し、ネットワーク２を介して顧客端末３の画面に流すための手段である。
【００３９】
［顧客端末］
次に、顧客端末３について、図４〜５を用いて説明するが、ハードウェア構成については、顧客端末３も１つの計算機と捉えることができるので、これについては説明を省略する。
なお、顧客端末３には、先に説明した実店舗連動型バーチャル店舗に対応する機能を実現するためのプログラムが導入されている。
【００４０】
＜顧客端末の機能手段＞
先ず、顧客端末３の機能手段について、図４を用いて詳細に説明する。
【００４１】
表示制御手段ｍ１１は、画像閲覧・指示手段ｍ１２から渡された映像を顧客端末３の表示画面ＤＳ上に表示する手段である。
また、表示制御手段ｍ１１は、注文確認手段ｍ１４から渡された商品情報と売上情報も顧客端末３の表示画面ＤＳ上に表示する。
【００４２】
画像閲覧・指示手段ｍ１２は、店舗の指定、店舗内の売り場の選択、商品の拡大指示及び商品の選択情報を店舗内サーバ１１の画像分析・合成手段ｍ２に送信すると共に、店舗内サーバ１１の画像配信手段ｍ３から配信された映像を表示制御手段ｍ１１に渡すための手段である。
また、画像閲覧・指示手段ｍ１２は、顧客がポインティングデバイス等を操作した場合には、顧客端末３の表示画面ＤＳ上に表示されたポインティングマークの情報を店舗内サーバ１１の画像分析・合成手段ｍ２に送信する役目も果たす。ポインティングマークの情報は、表示制御手段ｍ１１によって取得され、画像閲覧・指示手段ｍ１２に渡される。
【００４３】
注文手段ｍ１３は、顧客がポインティングデバイス等によって顧客端末３の表示画面ＤＳ上で商品を選択した場合に有効とされ、店舗内サーバ１１の注文受付手段ｍ４に対して注文情報を送信するための手段である。
【００４４】
注文確認手段ｍ１４は、店舗内サーバ１１の注文受付手段ｍ４によって送信された注文した商品に関する商品情報や売上情報を受け取ると共に、注文確認情報を店舗内サーバ１１の売上処理手段ｍ５に送信するための手段である。
送信された商品情報や売上情報は、顧客端末３の表示画面ＤＳ上に表示されるので、顧客は、これを見ることにより注文した商品の確認をすることができる。
また、注文確認手段ｍ１４は、顧客の住所氏名等の顧客情報も店舗内サーバ１１の売上処理手段ｍ５に送信する。
【００４５】
＜表示画面例及び操作例＞
次に、顧客端末３における表示画面例とこの画面に対する操作例について、図５（ａ）〜（ｃ）を用いて詳細に説明する。
【００４６】
図５（ａ）は、顧客端末３の表示画面ＤＳ上に店舗内の各売り場のリアル映像がマルチ画面表示されている様子を示す図である。
この場合、店舗内の各売り場のリアル映像は、分割された各表示画面ＤＳ上に表示される。画面分割は、例示のような４個にする必要はないが、仮に４個に分割した場合であって、売り場の数が４個以上ある場合には、図の右下に示すように、顧客端末３の表示画面ＤＳ上に矢印“↓”を表示して、スクロールをうながすようにしても良い。
この場合、顧客端末３には、何等かのスクロール手段が設けられている。
また、図において、印“＋”は、顧客端末３のポインティングデバイス等によって指示されたポインティングマークを示す。更に、図に示すように、各売り場のリアル映像がどの売り場のものであるかを示す売り場名を同時に表示するようにしてもよい。
なお、マルチ画面表示方式については、既知なので、ここでは特に説明をしない。
【００４７】
図５（ｂ）は、顧客がポインティングデバイス等によって“生鮮品売り場”を指定した場合の表示画面を示す図である。
この場合は、“生鮮品売り場”のリアル映像のみが顧客端末３の表示画面ＤＳ上に表示される。
顧客は、表示画面ＤＳ上に表示された売り場の映像上で所望の商品の拡大を指示することができる。
図において、印“＋”は、顧客端末３のポインティングデバイス等によって所望の商品が指定されたことを示すポインティングマークを示す。
別の売り場を見たい場合には、顧客端末３に“売り場選択”のボタン等を設け、このボタンを押下することによって図５（ａ）に戻るようにしてもよい。
これによって、顧客は、在宅のまま、店舗内のいろいろな売り場を表示して見ることができる。
【００４８】
図５（ｃ）は、顧客が表示された売り場の映像上である商品の拡大を指示した後の表示画面を示す図である。
顧客が、顧客端末３の表示画面ＤＳ上に表示された売り場の映像上でポインティングデバイス等によって商品を指定すると、指定した商品を中心とした拡大映像（正確には、ポインティングマークを中心とした拡大映像）が表示される。
拡大表示された商品を更に拡大表示したい場合には、顧客端末３に“ズーム”を指定するボタン等を設け、このボタンを押下することによって指定した商品を更に拡大表示することができるようにしてもよい。
顧客は、図５（ｃ）の表示画面を見て値段や荷姿等を確認し、それが所望の商品である場合には、その商品の位置にポインティングマークを移動して選択し、注文を行う。
図５（ｃ）の点線の印“＋”は、注文する商品を選択したときの様子を示す。
【００４９】
なお、図５（ａ）〜（ｃ）では、いずれも、リアル映像が顧客端末３の表示画面ＤＳ上に表示されるが、実店舗１に設置されたカメラ１３に対する方向指定とズーム指定は、図５（ｃ）の場合にだけ可能となる。
【００５０】
［店舗内サーバにおける処理フロー］
次に、店舗内サーバ１１における処理フローについて、図６を用いて詳細に説明する。
【００５１】
＜リアル映像周期的保存処理＞
最初は、商品棚映像をカテゴリ別に一定間隔で画像情報ファイルとして店舗内サーバ１１の外部記憶装置１１７に格納する処理を行う（ステップS1）。
この画像情報ファイルは、バーチャル画像配信用に用いられる。バーチャル画像の配信については、後で更に説明する。ステップ１は、店舗内サーバ１１の画像分析・合成手段ｍ２によって遂行される。
【００５２】
＜全売り場リアル映像配信処理＞
ステップS1によるリアル映像の保存処理が終了すると、顧客端末３から店舗の閲覧要求があるか否かを判断し（ステップS2）、無い場合（ステップS2＝ｎｏ）には、ステップS1に戻って、リアル映像の周期的保存処理を継続し、ある場合（ステップS2＝ｙｅｓ）には、店舗内の全売り場のリアル映像を要求のあった顧客端末３に配信する。
ステップS2〜S3は、店舗内サーバ１１の画像分析・合成手段ｍ２及び画像配信手段ｍ３によって遂行される。
【００５３】
＜商品指定処理＞
ステップS3による全売り場のリアル映像配信処理が終了すると、顧客端末３からポインティングマークの情報を受信したか否かを判断し（ステップS4）、受信していない場合（ステップS4＝ｎｏ）には、ステップS4を繰り返し実行し、受信した場合（ステップS4＝ｙｅｓ）には、対応するカメラ１３が他の顧客によって既に使用されているか否かの判断処理（ステップS5）に移る。この間、全売り場のリアル映像は顧客端末３に配信され続けている。
なお、ポインティングマークの情報は、店舗内サーバ１１によって、顧客が顧客端末３のポインティングデバイス等によって指定した商品を中心とした拡大映像を顧客端末３に配信するために利用される情報である。ステップ４は、店舗内サーバ１１の画像分析・合成手段ｍ２によって遂行される。
【００５４】
＜カメラ競合処理＞
対応するカメラ１３が他の顧客によって既に使用されている場合（ステップS5＝ｙｅｓ）には、対応するカメラ１３の方向やズーム倍率を変更することはできないので、この場合には、リアル映像に代えて、ステップ１によるリアル映像の周期的保存処理により保存した画像を合成したバーチャル画像を顧客端末３に配信する（ステップS6）。
対応するカメラ１３が他の顧客によって使用されていない場合（ステップS5＝ｎｏ）には、カメラズーム・方向制御処理（ステップS7）に移る。ステップS5〜S6は、店舗内サーバ１１の画像分析・合成手段ｍ２及び画像配信手段ｍ３によって遂行される。
【００５５】
＜カメラズーム・方向制御＞
対応するカメラ１３が他の顧客によって使用されていない場合（ステップS5＝ｎｏ）には、顧客端末３から受信したポインティングマークの情報に基づいて、カメラ１３をポインティングマークの位置に向くように制御する（ステップS7）。
最初の段階のズーム倍率については、例えば、刺身などの生鮮品を個々のパッケージ別に選択でき、また個々の商品の値段が読み取れる程度のものに予め設定しておけばよい。所望の位置に向けられ、所定のズームが行われたカメラ１３によって撮影された拡大映像は、リアル映像として顧客端末３に配信される（ステップS8）。
この後、顧客端末３から映像の更なる拡大や方向の指示があるか否かを判断し（ステップS9）、あった場合（ステップS9＝ｙｅｓ）には、顧客端末３により送信されたカメラ１３のズーム倍率や移動方向の情報により、カメラ１３のズーム倍率と方向制御が行われ（ステップS7）、そのリアル映像が顧客端末３に配信され（ステップS8）、ない場合（ステップS9＝ｎｏ）には、顧客端末３から注文情報を受信したか否かの判断処理（ステップS10）に移る。
ステップS7〜S9は、店舗内サーバ１１の撮影制御手段ｍ１、画像分析・合成手段ｍ２及び画像配信手段ｍ３によって遂行される。顧客は、拡大されたリアル映像を見て商品を選択し、注文を行うことになる。
【００５６】
＜注文受付処理＞
顧客端末３から注文情報を受信したか否かを判断し（ステップS10）、受信していない場合（ステップS10＝ｎｏ）には、ステップS9〜S10を繰り返し実行し、受信した場合（ステップS10＝ｙｅｓ）には、その時のポインティングマークと静止画像とを注文商品判別用情報として獲得する（ステップS11）。
ステップS10〜S11は、店舗内サーバ１１の画像分析・合成手段ｍ２及び注文受付手段ｍ４によって遂行される。
【００５７】
ステップS11による注文商品判別用情報の獲得処理が終了すると、この情報に基づいて、顧客が注文した商品が何であるかを判断する（ステップS12）。
判断手法としては、例えば、注文商品判別用情報からポインティングマークに最も近いバーコード部分を切り出して認識するやり方や、注文商品判別用情報を店舗内サーバ１１のディスプレイ１１３にポインティングマークを中心としてズームアップして表示し、表示されたバーコードを店舗内サーバ１１のバーコードリーダによって自動的に読み取るやり方などがある。
ステップS12は、店舗内サーバ１１の注文受付手段ｍ４によって遂行される。
【００５８】
ステップS12による商品種別判断処理が終了すると、その結果に基づいて、店舗内サーバ１１の外部記憶装置１１７に格納された商品・在庫情報ファイルから注文を受けた商品の商品情報及び売上情報を算出し（ステップS13）、顧客端末３に送信する（ステップS14）。
ステップS12〜S14は、店舗内サーバ１１の注文受付手段ｍ４によって遂行される。
【００５９】
＜売上処理＞
ステップS14による商品情報及び売上情報の送信処理が終了すると、顧客端末３から注文確認情報を受信したか否かを判断し（ステップS15）、受信しない場合（ステップS15＝ｎｏ）には、ステップS15を繰り返し実行し、受信した場合（ステップS15＝ｙｅｓ）には、注文確認情報に含まれる住所氏名等の顧客情報と売上情報の金額とに基づいて、商品を注文した顧客の与信調査を行い、与信調査の結果がＯＫであれば、電子決済を行う（ステップS16）。
【００６０】
ステップS16による与信調査・電子決済処理が終了すると、店舗内に配置されたＰＯＳレジスタ１２と連動して、商品の売上情報と在庫情報の更新を行うと共に、顧客情報も更新する（ステップS17）。
これらの情報の更新は、店舗内サーバ１１の外部記憶装置１１７に格納された対応するファイルを更新することによって行う。ステップS15〜S17は、店舗内サーバ１１の売上処理手段ｍ５によって遂行される。
【００６１】
＜ピッキング指示処理＞
ステップS17による商品の売上情報、在庫情報の更新及び顧客情報の更新処理が終了すると、注文商品判別用情報に加えてカメラの設置した場所と撮影した売り場乃至商品棚の情報をピッキング用モニタとして設定された店舗内サーバ１１のディスプレイ１１３に同時に表示すると共に、顧客情報ファイルに含まれる顧客情報に基づいて、顧客の住所氏名を含んだ識別ラベルを印刷する（ステップS18）。
ステップS18は、店舗内サーバ１１のピッキング指示手段ｍ６によって遂行される。
【００６２】
＜外部広告処理＞
ステップS18によるピッキング指示処理が終了すると、画像情報ファイル、商品・在庫情報ファイル及び顧客情報ファイルにそれぞれ含まれる画像情報、商品情報及び顧客情報に基づいて、商品を販売した顧客に対する外部広告情報を作成し、ネットワーク２を介して顧客端末３の画面に流す（ステップS19）。
ステップS19は、店舗内サーバ１１の外部広告手段ｍ７によって遂行される。
【００６３】
＜終了処理＞
ステップS19による外部広告処理が終了すると、本システムを終了するか否かを判断し（ステップS20）、終了する場合（ステップS20＝ｙｅｓ）には、終了処理を行い、終了しない場合（ステップS20＝ｎｏ）には、ステップ１に戻り、リアル映像の周期的保存処理を行う。本システムを終了する理由乃至終了処理の内容については、本発明の本旨とは関係がないので、説明を省略する。
【００６４】
［顧客端末における処理フロー］
次に、顧客端末３における処理フローについて、図７を用いて詳細に説明する。
【００６５】
＜閲覧要求処理＞
最初は、顧客によって店舗の売り場の映像が要求されているか否かを判断し（ステップS31）、要求されていない場合（ステップS31＝ｎｏ）には、ステップS31を繰り返し実行し、要求されている場合（ステップS31＝ｙｅｓ）には、閲覧要求を店舗内サーバ１１に送信する（ステップS32）。ステップS31〜S32は、顧客端末３の画像閲覧・指示手段ｍ１２によって遂行される。
【００６６】
＜全売り場映像表示処理＞
ステップ２による閲覧要求送信処理が終了すると、店舗内サーバ１１から全売り場の映像を受信したか否かを判断し（ステップS33）、受信していない場合（ステップS33＝ｎｏ）には、ステップS33を繰り返し実行し、受信した場合（ステップS33＝ｙｅｓ）には、店舗内の全売り場のリアル映像を顧客端末３の表示画面ＤＳ上にマルチ画面表示する（ステップS34）。
ステップS32〜S34は、顧客端末３の表示制御手段ｍ１１及び画像閲覧・指示手段ｍ１２によって遂行される。
【００６７】
＜選択売り場表示処理＞
ステップS33による全売り場映像のマルチ画面表示処理が終了すると、顧客によって特定の売り場が選択されたか否かを判断し（ステップS35）、選択されていない場合（ステップS35＝ｎｏ）には、ステップS35を繰り返し実行し、選択された場合（ステップS35＝ｙｅｓ）には、選択された売り場を顧客端末の表示画面ＤＳ上に通常表示する（ステップS36）。ステップS35〜S36は、顧客端末３の表示制御手段ｍ１１及び画像閲覧・指示手段ｍ１２によって遂行される。
【００６８】
＜商品拡大指示＞
ステップS36による選択売り場通常表示処理が終了すると、顧客によって特定の商品が指定されたか否かを判断し（ステップS37）、指定されていない場合（ステップS37＝ｎｏ）には、ステップS37を繰り返し実行し、指定された場合（ステップS37＝ｙｅｓ）、その時のポインティングマークの情報を店舗内サーバ１１に送信する（ステップS38）。
商品の指定は、顧客端末３のポインティングデバイス等によって行われる。
【００６９】
ステップS38によるポインティングマークの情報の送信処理が終了すると、店舗内サーバ１１から指定した商品を中心とした拡大映像（正確には、ポインティングマークを中心とした拡大映像）を受信したか否かを判断し（ステップS39）、受信していない場合（ステップS39＝ｎｏ）には、ステップS39を繰り返し実行し、受信した場合（ステップS39＝ｙｅｓ）には、その映像を顧客端末３の表示画面ＤＳ上に表示する（ステップS40）。
商品の指定時に、実店舗１内に設置された対応するカメラ１３が他の顧客によって既に使用されている場合には、顧客端末３は、店舗内サーバ１１が作成したバーチャル画像を受信することになる。この場合には、カメラ待ちとなって、これ以上の操作は不可となるので、顧客端末３の表示画面ＤＳ上に、例えば、“他の人と競合しているので、少々お待ち下さい”というメッセージをバーチャル画像に重ねて表示するようにするとよい。ステップS37〜S40は、顧客端末３の表示制御手段ｍ１１及び画像閲覧・指示手段ｍ１２によって遂行される。なお、ポインティングマーク情報は、表示制御手段ｍ１１によって取得され、画像閲覧・指示手段ｍ１２に渡される。
【００７０】
＜商品選択・注文処理＞
ステップS40による映像表示処理が終了すると、顧客によって更なる拡大表示・方向が指示されたか否かの処理（ステップS41〜S44）を行った後、顧客によって注文する商品が選択されたか否かを判断し（ステップS45）、選択されていない場合（ステップS45＝ｎｏ）には、ステップS41〜S45を繰り返し実行し、選択された場合（ステップS45＝ｙｅｓ）には、その時のポインティングマークの情報と注文情報とを店舗内サーバ１１に送信する（ステップS46）。ステップS41〜S46は、顧客端末３の表示制御手段ｍ１１、画像閲覧・指示手段ｍ１２及び注文手段ｍ１３によって遂行される。
【００７１】
＜注文確認処理＞
ステップS46によるポインティングマークの情報と注文情報の送信処理が終了すると、店舗内サーバ１１から商品情報と売上情報を受信したか否かを判断し（ステップS47）、受信していない場合（ステップS47＝ｎｏ）には、ステップS47を繰り返し実行し、受信した場合（ステップS47＝ｙｅｓ）には、これらの情報を顧客端末３の表示画面ＤＳ上に表示する（ステップS48）。
この場合、拡大表示された商品の映像に重ねて表示するのが好ましい。何故ならば、顧客は、図５（ｃ）に示される拡大表示された商品の値段或いは荷姿を見て所望の商品を選択したからである。
【００７２】
ステップS48による商品情報と売上情報の表示処理が終了すると、顧客によって注文の確認が行われたか否かを判断し（ステップS49）、行われていない場合（ステップS49＝ｎｏ）には、ステップS49を繰り返し実行し、行われた場合（ステップS49＝ｙｅｓ）には、顧客の住所氏名等の情報を含む注文確認情報を店舗内サーバ１１に送信する（ステップS50）。ステップS47〜S50は、顧客端末３の表示制御手段ｍ１１及び注文確認手段ｍ１４によって遂行される。
【００７３】
＜終了処理＞
ステップS50による注文確認情報の送信処理が終了すると、顧客によって買い物終了が指示されたか否かを判断し（ステップS51）、指示されない場合（ステップS51＝ｎｏ）には、ステップS32に移り、閲覧要求送信処理を行い、指示された場合（ステップS51＝ｙｅｓ）には、終了処理を行う。終了処理の内容については、本発明の本旨とは関係がないので、説明を省略する。
【産業上の利用可能性】
【００７４】
本発明の実店舗連動型バーチャル店舗システムは、販売する商品の種類を問わないので、先に説明した生鮮品を販売する店舗に限らず、種々の商品を販売する店舗に適用が可能である。
【図面の簡単な説明】
【００７５】
【図１】実店舗連動型バーチャル店舗システムの全体を模式的に示した図である。
【図２】店舗内サーバのハードウェア構成を模式的に示した図である。
【図３】店舗内サーバの機能手段を模式的に示した図である。
【図４】顧客端末の機能手段を模式的に示した図である。
【図５】顧客端末における表示画面例及び操作例を示す図である。
【図６】店舗内サーバにおける処理フローを示す図である。
【図７】顧客端末における処理フローを示す図である。
【符号の説明】
【００７６】
１  実店舗
２  ネットワーク
３  顧客端末
１１  店舗内サーバ
１２  ＰＯＳレジスタ
１３  カメラ（撮影手段））
１４  店舗内回線
１１１  店舗内サーバのＣＰＵ
１１２  店舗内サーバのキーボード
１１３  店舗内サーバのディスプレイ
１１４  店舗内サーバのバーコードリーダ
１１５  店舗内サーバのプリンタ
１１６  店舗内サーバの主記憶装置
１１７  店舗内サーバの外部記憶装置
１１８  店舗内サーバの内部バス
ｍ１  店舗内サーバの撮影制御手段
ｍ２  店舗内サーバの画像分析・合成手段
ｍ３  店舗内サーバの画像配信手段
ｍ４  店舗内サーバの注文受付手段
ｍ５  店舗内サーバの売上処理手段
ｍ６  店舗内サーバのピッキング指示手段
ｍ７  店舗内サーバの外部広告手段
ｍ１１  顧客端末の表示制御手段
ｍ１２  顧客端末の画像閲覧・指示手段
ｍ１１  顧客端末の注文手段
ｍ１１  顧客端末の注文確認手段
ＤＳ  顧客端末の表示画面
【図１】
2009223760.tif 000003
【図２】
2009223760.tif 000004
【図３】
2009223760.tif 000005
【図４】
2009223760.tif 000006
【図５】
2009223760.tif 000007
【図６】
2009223760.tif 000008
【図７】
2009223760.tif 000009